(57)【要約】【課題】  金庫を外部から見えないように収納し、且つ引出ケースの通常の引き出し操作においても、金庫が見えないようにした家具を提供することである。【解決手段】  この家具は、引出ケース９が挿入される引出空間１２に連通して設けられた物収納空間１６を有し、引出ケース９が引出空間１２に挿入されているとき、物収納空間１６に収納された金庫１７が、引出ケース９よって隠されて外部から見えないように構成されている。【選択図】      図３
2005318986.tif 000002
【特許請求の範囲】
【請求項１】
引出ケースが挿入される引出空間に連通して設けられた物収納空間を有し、前記引出ケースが引出空間に挿入されているとき、前記物収納空間に収納された物が、該引出ケースによって被覆されて外部から見えないことを特徴とする家具。
【請求項２】
前記物収納空間に収納された物は、引出ケースを、引出空間から抜き取ったとき、該引出空間を通して外部から見える請求項１記載の家具。
【請求項３】
前記物収納空間を形成する少なくとも一つの壁が取り外し可能である請求項１記載の家具。
【請求項４】
前記一つの壁が、引出ケースの下部に設けられた化粧板である請求項２記載の家具。
【請求項５】
前記引出ケースが引出空間から抜け出さないようにするためのストッパ手段が設けられている請求項１記載の家具。
【発明の詳細な説明】
【技術分野】
【０００１】
本発明は、物収納空間に収納された物が引出ケースを開けた状態でも、外部から見えないようにしたタンス等の家具に関するものである。
【背景技術】
【０００２】
一般に、多額の現金や貯金通帳、家の権利書などの重要書類は備え付けの金庫に収納されることが多い。しかしながら、金庫がむき出しで置かれていると、見栄えを損なうと共に防犯上も望ましくないことから、従来にあっては、金庫を家具等に設けられた収納部に収納したり（特許文献１参照）、金庫の上に家具を載せる（特許文献２参照）などが知られている。
【０００３】
しかしながら、上記のような従来例にあっては、金庫が家具等の収納部に収納され、あるいは、金庫の上に家具が載せられていても、金庫が常に見える状態に配置されているために、金庫は、盗難にあう危険に常にさらされている。従って、金庫の盗難を完全に防止することは不可能であった。
【特許文献１】特開平１１−２５３２５４号
【特許文献２】特開平０９−０４１８０６号
【発明の開示】
【発明が解決しようとする課題】
【０００４】
そこで、本発明の目的は、金庫を外部から見えないように収納すると共に、通常の使用状態においても、金庫が見えないようにした家具を提供することにある。
【課題を解決するための手段】
【０００５】
かかる目的を達成するために、本発明に係る家具は、引出ケースが挿入される引出空間に連通して設けられた物収納空間を有し、前記引出ケースが引出空間に挿入されているとき、前記物収納空間に収納された物が、該引出ケースによって被覆されて外部から見えないことを特徴とする。
【発明の効果】
【０００６】
本発明の家具は、引出ケースが引出空間に挿入されているとき、物収納空間に収納された物が、引出ケースによって被覆されて外部から見えないようにしたことによって、金庫などの隠し場所として有効となり、金庫の盗難を未然に防止することができる。
【発明を実施するための最良の形態】
【０００７】
以下、本発明の実施の形態を、図面を参照して詳細に説明する。図１及び図２には、本発明に係る家具の一実施例が示されており、この実施例における家具は、例えば、前板１と、背板２と、両側板３，４と、上板５と、底板６とを備えた略直方体の形状を有する（図１および図２参照）。この家具は、例えば、タンスのように、衣類を収納するように形成されている。図１に示すように、この家具の前板１には、上方に配置された観音開き型の左右一対の開閉ドア７，８と、下方に配置された引出ケース９とが設けられている。開閉ドア７，８及び引出ケース９には、それぞれ把手１０，１１が設けられている。
【０００８】
図２および図３に示すように、引出ケース９は、前板１から背板２に延びる引出空間１２の中に収納され、且つ、衣類等を収納する収納部１３を有する。また、この引出ケース９は、両側板３，４に取付けられた一対のガイドレール１４に沿って引出空間１２内を出し入れ自在である。この引出ケース９は、後述の如く、収納される物の大きさによって、多少、底面板１５が上げ底（特に図２および図３参照）に形成されていることを除き、通常のタンスの引出ケースと同様な構成を有するので、更なる説明を省略する。
【０００９】
図１乃至図３に示すように、家具には物収納空間１６が設けられ、この物収納空間１６内に、例えば、金庫１７が収納される。勿論、金庫以外の物を収納するようにしてもよい。この物収納空間１６は、一例では、引出ケース９の下方で、この引出ケース９が挿入される引出空間１２に連通して設けられている。収納される金庫１７が大きいときには、上述の如く、引出ケース９が上げ底に形成されるのが好ましい。物収納空間１６は、例えば、この実施例では、引出空間１２と底板６との間に配置されている。従って、図示の実施例では、金庫１７は、底板６上に配置される（図２および図３参照）。しかし、この物収納空間１６は、家具の形態あるいは大きさ等に合わせて、家具の任意の位置に設けることができる。
【００１０】
この実施形態では、前記金庫１７は、引出ケース９を引出空間１２から抜き取ったときに、引出空間１２を通して外部から見ることが出来る。即ち、引出ケース９が引出空間１２に挿入されているとき、換言すると、引出ケース９の通常の出し入れ操作がなされ、この引出ケース９が、引出空間１２から抜き取られない限り、物収納空間１６に収納された金庫１７は、この引出ケース９によって被覆されて外部から見えないように構成されている（図４参照）。この実施例では、引出ケース９は、通常の出し入れ操作がなされる場合には、この引出ケース９が引出空間１２から抜き取られないように、ストッパ手段が設けられる。このストッパ手段は、図２に示したように、引出ケース９の天井面１８に突出して設けられたピン１９で構成される。このピン１９は天井面１８の前部側で外部から見えないように設けられ、引出ケース９を引き出す際には引出ケース９の後面板２０の上端が前記ピン１９に係合することで、引出空間１２からの引出ケース９に抜き取りを防止している。一方、図２に示したように、引出ケース９の前側を矢印２１方向に持ち上げることピン１９との係合を外すことができる。
【００１１】
前記物収納空間１６は、引出ケース９が挿入される引出空間１２を通して外部と連通するだけでなく、物収納空間１６を形成する少なくとも一つの壁、例えば、家具の前板１の少なくとも一部に形成された開口２２を通して外部と通じている（図３参照）。
【００１２】
この開口２２は、図３に示すように、前記引出ケース９の下側に形成され、通常は化粧板２３によって閉じられている。この化粧板２３は、取付手段を介して両側板３，４に着脱自在に取付けられる。この取付手段は、両側板３，４の内面に取付けられた一対のクリップ２５，２５と、これらクリップ２５，２５に着脱可能に狭持される突出体２６，２６とから成っている。これら突出体２６，２６は、化粧板２３の裏面の両端部に設けられ、所定の力でクリップ２５，２５に押し込むことによって、クリップ２５，２５に狭持され、この狭持の状態からある力で引っ張ることによって、この狭持を解除することができる。
【００１３】
従って、化粧板２３は、それら突出体２６，２６を、対応するクリップ２５，２５に狭持させることによって、開口２２を閉じることができ、突出体２６，２６をクリップ２５，２５から離脱させることによって開口２２を開放することができる。前記化粧板２３は、その両端部が両側板３，４の内側に嵌り込み、また図１及び図２に示されるように、化粧板２３上端と引出ケース９の前面板２７の下端との間には隙間がほとんどないので、引出ケース９が引出空間１２に収納された状態で化粧板２３のみ取り外すことは出来ない。
【００１４】
したがって、このような構成からなる家具にあって、物収納空間１６内に隠されている金庫１７を開閉操作する必要が出た場合には、図２及び図４に示したように、先ず引出ケース９の後面板２０の上端がピン１９に係合する位置まで引出ケース９を引き出す。次いで、引出ケース９の両側を下側から抱えるようにし、矢印２１のように引出ケース９の前側を持ち上げてピン１９との係合を外す。ピン１９との係合が外れたら、そのまま引出ケース９を前方に引き出すことで引出空間１２から抜き取ることができる。この引出ケース９の抜き取りによって物収納空間１６内に隠していた金庫１７が引出空間１２を通して見ることが出来る。次に、化粧板２３を適度の力で前方に引っ張り、両側の取付手段を解除して化粧板２３を外す。図３に示したように、前記化粧板２３を外すことで開口２２が開放され、内部の物収納空間１６が外部と連通するので、金庫１７を開閉するためのダイヤル２８の操作や、場合によっては金庫１７を物収納空間１６内から引き出すことも可能となる。
【００１５】
なお、上記の実施形態では、開口２２を閉じている化粧板２３は、引出ケース９を抜き取らなければ外すことが出来ないように構成してあるが、この化粧板２３を引出ケース９の抜き取りとは関係なく取り外しができるように構成することも可能である。この場合には金庫１７は、上述の如く、引出空間１２を通してではなく、開口２２のみを通して物収納空間１６に出し入れすることができ、又は金庫１７の開閉操作ができる。もちろん、この場合には開口２２の大きさを金庫１７よりも大きく設定する必要がある。また。引出ケース９を外さなくても化粧板２３が外せるように構成する必要がある。
【００１６】
この実施例では、引出ケース９を、引出空間１２から抜き取らなくても金庫１７の家具に対する出入が可能であるから、引出ケース９が引出空間１２から抜けないようにするためのストッパ手段を前述のものより頑丈に構成することができる。
【００１７】
このストッパ手段は、一例では、図５に示すように、引出ケース９が最大に引き出されたときに、前述した両側板３，４に固定されたクリップ２５，２５の後端と係合するように引出ケース９の後端の両側に取り付けられた一対の金具３０を備えている。引出ケース９を最大に引き出したとき、これら金具３０の前面が、クリップ２５，２５の後面に当接することで、引出空間１２からの引出ケース９の抜き出を防止すことができる。
【００１８】
なお、上記実施例では、引出ケース９を引出空間１２から抜き出し、化粧板２３を外してから金庫１７を開閉操作する場合、あるいは、引出ケース９を引出空間１２から抜き出さず、化粧板２３を外して開口２２から金庫１７を開閉操作する場合について述べたが、本発明では、それらの両方の構成を組み合わせることもできる。
【００１９】
例えば、収納する物が、開口２２よりも大きい場合には、引出ケース９を外さなくてはならないが、開口２２より小さい場合には、引出ケース９を外す必要がない。家具の大きさ、形状等を考慮して構成を任意に選択することができる。
【００２０】
要するに、本発明では、金庫１７を外部から見えないように収納し、且つ引出ケース９の通常の引き出し操作においても金庫が見えないようにして、防盗性を高めたものである。
【図面の簡単な説明】
【００２１】
【図１】本発明に係る家具の一実施形態を示す正面図である。
【図２】図１に示す家具の断面側面図である。
【図３】図１に示す家具の物収納空間を示す斜視図である。
【図４】図１に示す家具において引出ケースを引き出した状態を示す斜視図である。
【図５】ストッパ手段の他の例を示す家具の部分斜視図である。
【符号の説明】
【００２２】
１  前板
２  背板
３，４  両側板
５  上板
６  底板
９  引出ケース
１２  引出空間
１６  物収納空間
１７  金庫
１９  ピン（ストッパ手段）
２２  開口
２３  化粧板
【図１】
2005318986.tif 000003
【図２】
2005318986.tif 000004
【図３】
2005318986.tif 000005
【図４】
2005318986.tif 000006
【図５】
2005318986.tif 000007